(57)【要約】      （修正有）【課題】ＣＳＧ制御において、ＣＳＧメンバーではない移動局ＵＥがＣＳＧセルをＳｃｅｌｌとして用いてしまうという事態を回避する。【解決手段】無線基地局ｅＮＢは、Ｐｃｅｌｌリスト及びＳｃｅｌｌリストの少なくとも一方を管理するように構成されている管理部と、セル＃１０内の移動局ＵＥから、Ｐｃｅｌｌメンバー情報及びＳｃｅｌｌメンバー情報の少なくとも一方を取得するように構成されている受信部と、Ｐｃｅｌｌメンバー情報及びＳｃｅｌｌメンバー情報の少なくとも一方の少なくとも一方に基づいて、管理部を参照して、移動局ＵＥがセル＃１０に対してＰｃｅｌｌとして接続することができるか否かについて判定すると共に、移動局ＵＥがセル＃１０をＳｃｅｌｌとして設定することができるか否かについて判定するように構成されている制御部とを具備する。【選択図】図１
2014072692.tif 000002
【特許請求の範囲】
【請求項１】
ネットワークは、該ネットワーク配下のセルに対して主セルとして接続することができる移動局のリストである第１リストに加えて、該セルを副セルとして設定することができる移動局のリストである第２リストを管理するように構成されており、
前記セル内の移動局は、前記ネットワークに対して、前記第１リストのメンバーであるか否かについて示す第１指示情報及び前記第２リストのメンバーであるか否かについて示す第２指示情報の少なくとも一方を通知するように構成されており、
前記ネットワークは、前記第１指示情報及び前記第２指示情報の少なくとも一方と、前記第１リスト及び前記第２リストの少なくとも一方とに基づいて、前記移動局が前記セルに対して主セルとして接続することができるか否かについて判定すると共に、該移動局が該セルを副セルとして設定することができるか否かについて判定するように構成されていることを特徴とする移動通信システム。
【請求項２】
無線基地局であって、
前記無線基地局配下のセルに対して主セルとして接続することができる移動局のリストである第１リストに加えて、該セルを副セルとして設定することができる移動局のリストである第２リストを管理するように構成されている管理部と、
前記セル内の移動局から、前記第１リストのメンバーであるか否かについて示す第１指示情報及び前記第２リストのメンバーであるか否かについて示す第２指示情報の少なくとも一方を取得するように構成されている受信部と、
前記第１指示情報及び前記第２指示情報の少なくとも一方に基づいて、前記管理部を参照して、前記移動局が前記セルに対して主セルとして接続することができるか否かについて判定すると共に、該移動局が該セルを副セルとして設定することができるか否かについて判定するように構成されている制御部とを具備することを特徴とする無線基地局。
【請求項３】
移動管理ノードであって、
前記移動管理ノード配下のセルに対して主セルとして接続することができる移動局のリストである第１リスト及び該セルを副セルとして設定することができる移動局のリストである第２リストの少なくとも一方を管理するように構成されている管理部と、
前記セル内の移動局から、前記第１リストのメンバーであるか否かについて示す第１指示情報及び前記第２リストのメンバーであるか否かについて示す第２指示情報の少なくとも一方を取得するように構成されている受信部と、
前記第１指示情報及び前記第２指示情報の少なくとも一方に基づいて、前記管理部を参照して、前記移動局が前記セルに対して主セルとして接続することができるか否かについて判定すると共に、該移動局が該セルを副セルとして設定することができるか否かについて判定するように構成されている制御部とを具備することを特徴とする移動管理ノード。
【請求項４】
移動局であって、
ネットワークに対して、前記移動局が第１リストのメンバーであるか否かについて示す第１指示情報及び該移動局が第２リストのメンバーであるか否かについて示す第２指示情報の少なくとも一方を通知するように構成されている送信部を具備しており、
前記第１リストは、前記ネットワーク配下のセルに対して主セルとして接続することができる移動局のリストであり、
前記第２リストは、前記セルを副セルとして設定することができる移動局のリストであることを特徴とする移動局。
【発明の詳細な説明】
【技術分野】
【０００１】
本発明は、移動通信システム、無線基地局、移動管理ノード及び移動局に関する。
【背景技術】
【０００２】
ＬＴＥ（Ｌｏｎｇ  Ｔｅｒｍ  Ｅｖｏｌｕｔｉｏｎ）-Ａｄｖａｎｃｅｄ方式では、移動局ＵＥは、複数のセル（或いは、ＣＣ：Ｃｏｍｐｏｎｅｎｔ  Ｃａｒｒｉｅｒ）を用いてＣＡ（Ｃａｒｒｉｅｒ  Ａｇｇｒｅｇａｔｉｏｎ）を行うことができるように構成されている。
【０００３】
ＣＡが行われる際には、移動局ＵＥに対して、接続性を担保する信頼性の高いセルであるＰｃｅｌｌ（Ｐｒｉｍａｒｙ  ｃｅｌｌ）及び付随的なセルであるＳｃｅｌｌ（Ｓｅｃｏｎｄａｒｙ  ｃｅｌｌ）が設定される。
【０００４】
移動局ＵＥは、第１に、Ｐｃｅｌｌに接続し、必要に応じて、Ｓｃｅｌｌを追加することができる。
【０００５】
Ｐｃｅｌｌは、ＲＬＭ（Ｒａｄｉｏ  Ｌｉｎｋ  Ｍｏｎｉｔｏｒｉｎｇ）及びＳＰＳ（Ｓｅｍｉ-Ｐｅｒｓｉｓｔｅｎｔ  Ｓｃｈｅｄｕｌｉｎｇ）等をサポートするＬＴＥ方式におけるセルと同様のセルである。移動局ＵＥのＰｃｅｌｌを変更する場合には、ハンドオーバ処理が必要である。
【０００６】
また、Ｓｃｅｌｌは、Ｐｃｅｌｌに追加されて移動局ＵＥに対して設定されるセルである。Ｓｃｅｌｌの追加及び削除は、ＲＲＣ（Ｒａｄｉｏ  Ｒｅｓｏｕｒｃｅ  Ｃｏｎｔｒｏｌ）シグナリングによって行われる。
【０００７】
Ｓｃｅｌｌは、移動局ＵＥに対して設定された直後は、非アクティブ状態（ｄｅａｃｔｉｖｅ状態）であるため、ＭＡＣ（Ｍｅｄｉａ  Ａｃｃｅｓｓ  Ｃｏｎｔｒｏｌ）レイヤにおいてアクティブ化することで初めて通信可能（スケジューリング可能）となるセルである。
【０００８】
また、３ＧＰＰでは、フェムトセルのようなスモールセルに対して、かかるスモールセルに対して接続できる移動局ＵＥを限定する機構であるＣＳＧ（Ｃｌｏｓｅｄ  Ｓｕｂｓｃｒｉｂｅｒ  Ｇｒｏｕｐ）制御が存在する。
【０００９】
例えば、ＣＳＧ制御は、スモールセルで特定の移動局ＵＥに対してのみサービスを提供する場合に用いられる。
【００１０】
図６及び図７に示すように、移動管理ノードＭＭＥは、ＣＳＧセルであるセル＃１０に対して接続できる移動局ＵＥのリストを管理しており、移動局ＵＥは、かかるセル＃１０を発見した際に、無線基地局ｅＮＢに対して、「Ｐｒｏｘｉｍｉｔｙ  Ｉｎｄｉｃａｔｉｏｎ」や「Ｍｅａｓｕｒｅｍｅｎｔ  ｒｅｐｏｒｔ」によって、かかるセル＃１０に接続可能な移動局ＵＥであることを報告し、移動管理ノードＭＭＥは、かかる移動局ＵＥが、上述のリストに含まれている場合には、かかる移動局ＵＥのセル＃１０への接続を許可するように構成されている。
【先行技術文献】
【非特許文献】
【００１１】
【非特許文献１】３ＧＰＰ  ＴＳ３６.３００
【発明の概要】
【発明が解決しようとする課題】
【００１２】
しかしながら、既存のＣＳＧ制御では、移動局ＵＥがＣＳＧセルにＰｃｅｌｌとして接続することを規制することはできるが、移動局ＵＥがＣＳＧセルをＳｃｅｌｌとして用いることを規制することができない。
【００１３】
したがって、図８に示すように、ＣＳＧメンバーではない移動局ＵＥが、ＣＳＧセルであるセル＃１０をＳｃｅｌｌとして用いてしまう可能性があるという問題点があった。
【００１４】
そこで、本発明は、上述の課題に鑑みてなされたものであり、ＣＳＧ制御において、ＣＳＧメンバーではない移動局ＵＥがＣＳＧセルをＳｃｅｌｌとして用いてしまうという事態を回避することができる移動通信システム、無線基地局、移動管理ノード及び移動局を提供することを目的とする。
【課題を解決するための手段】
【００１５】
本発明の第１の特徴は、移動通信システムであって、ネットワークは、該ネットワーク配下のセルに対して主セルとして接続することができる移動局のリストである第１リスト及び該セルを副セルとして設定することができる移動局のリストである第２リストの少なくとも一方を管理するように構成されており、前記セル内の移動局は、前記ネットワークに対して、前記第１リストのメンバーであるか否かについて示す第１指示情報及び前記第２リストのメンバーであるか否かについて示す第２指示情報の少なくとも一方を通知するように構成されており、前記ネットワークは、前記第１指示情報及び前記第２指示情報の少なくとも一方と、前記第１リスト及び前記第２リストの少なくとも一方とに基づいて、前記移動局が前記セルに対して主セルとして接続することができるか否かについて判定すると共に、該移動局が該セルを副セルとして設定することができるか否かについて判定するように構成されていることを要旨とする。
【００１６】
本発明の第２の特徴は、無線基地局であって、前記無線基地局配下のセルに対して主セルとして接続することができる移動局のリストである第１リスト及び該セルを副セルとして設定することができる移動局のリストである第２リストの少なくとも一方を管理するように構成されている管理部と、前記セル内の移動局から、前記第１リストのメンバーであるか否かについて示す第１指示情報及び前記第２リストのメンバーであるか否かについて示す第２指示情報の少なくとも一方を取得するように構成されている受信部と、前記第１指示情報及び前記第２指示情報の少なくとも一方に基づいて、前記管理部を参照して、前記移動局が前記セルに対して主セルとして接続することができるか否かについて判定すると共に、該移動局が該セルを副セルとして設定することができるか否かについて判定するように構成されている制御部とを具備することを要旨とする。
【００１７】
本発明の第３の特徴は、移動管理ノードであって、前記移動管理ノード配下のセルに対して主セルとして接続することができる移動局のリストである第１リスト及び該セルを副セルとして設定することができる移動局のリストである第２リストの少なくとも一方を管理するように構成されている管理部と、前記セル内の移動局から、前記第１リストのメンバーであるか否かについて示す第１指示情報及び前記第２リストのメンバーであるか否かについて示す第２指示情報の少なくとも一方を取得するように構成されている受信部と、前記第１指示情報及び前記第２指示情報の少なくとも一方に基づいて、前記管理部を参照して、前記移動局が前記セルに対して主セルとして接続することができるか否かについて判定すると共に、該移動局が該セルを副セルとして設定することができるか否かについて判定するように構成されている制御部とを具備することを要旨とする。
【００１８】
本発明の第４の特徴は、移動局であって、ネットワークに対して、前記移動局が第１リストのメンバーであるか否かについて示す第１指示情報及び該移動局が第２リストのメンバーであるか否かについて示す第２指示情報の少なくとも一方を通知するように構成されている送信部を具備しており、前記第１リストは、前記ネットワーク配下のセルに対して主セルとして接続することができる移動局のリストであり、前記第２リストは、前記セルを副セルとして設定することができる移動局のリストであることを要旨とする。
【発明の効果】
【００１９】
以上説明したように、本発明によれば、ＣＳＧ制御において、ＣＳＧメンバーではない移動局ＵＥがＣＳＧセルをＳｃｅｌｌとして用いてしまうという事態を回避することができる移動通信システム、無線基地局、移動管理ノード及び移動局を提供することができる。
【図面の簡単な説明】
【００２０】
【図１】本発明の第１の実施形態に係る移動通信システムの全体構成図である。
【図２】本発明の第１の実施形態に係る移動管理ノード及び無線基地局の機能ブロック図である。
【図３】本発明の第１の実施形態に係る移動局の機能ブロック図である。
【図４】本発明の第１の実施形態に係る移動通信システムの動作を示すシーケンス図である。
【図５】本発明の第１の実施形態に係る移動局の動作を示すフローチャートである。
【図６】従来技術を説明するための図である。
【図７】従来技術を説明するための図である。
【図８】従来技術を説明するための図である。
【発明を実施するための形態】
【００２１】
（本発明の第１の実施形態に係る移動通信システム）
図１乃至図５を参照して、本発明の第１の実施形態に係る移動通信システムについて説明する。
【００２２】
図１に示すように、本実施形態に係る移動通信システムは、ＬＴＥ-Ａｄｖａｎｃｅｄ方式の移動通信システムであって、移動管理ノードＭＭＥと、セル＃１０を管理する無線基地局ＨｅＮＢと、セル＃１を管理する無線基地局ｅＮＢとを具備している。
【００２３】
なお、本実施形態に係る移動通信システムは、無線基地局ＨｅＮＢを収容するゲートウェイ装置ＨｅＮＢ-ＧＷを具備していてもよい。
【００２４】
ここで、セル＃１０は、ＣＳＧセルであり、セル＃１は、マクロセルである。図１に示すように、セル＃１０のカバレッジエリアは、セル＃１のカバレッジエリアに少なくとも一部で重なるように配置されている。
【００２５】
また、本実施形態に係る移動通信システムでは、移動局ＵＥは、Ｐｃｅｌｌ及びＳｃｅｌｌを用いてＣＡを行うことができるように構成されている。
【００２６】
図２に示すように、本実施形態に係る移動管理ノードＭＭＥは、受信部１１と、管理部１２と、制御部１３とを具備している。
【００２７】
受信部１１は、無線基地局ｅＮＢから各種信号を受信するように構成されている。例えば、受信部１１は、無線基地局ｅＮＢから、Ｐｃｅｌｌメンバー情報やＳｃｅｌｌメンバー情報を受信するように構成されている。
【００２８】
ここで、Ｐｃｅｌｌメンバー情報は、移動局ＵＥがＰｃｅｌｌリストのメンバーであるか否かについて示す情報であり、Ｓｃｅｌｌメンバー情報は、移動局ＵＥがＳｃｅｌｌリストのメンバーであるか否かについて示す情報である。
【００２９】
また、Ｐｃｅｌｌリストは、無線基地局ｅＮＢ配下のセル＃１０に対してＰｃｅｌｌとして接続することができる移動局ＵＥのリストであり、Ｓｃｅｌｌリストは、セル＃１０をＳｃｅｌｌとして設定することができる移動局ＵＥのリストである。
【００３０】
なお、Ｐｃｅｌｌメンバー情報及びＳｃｅｌｌメンバー情報は、「Ｐｒｏｘｉｍｉｔｙ  Ｉｎｄｉｃａｔｉｏｎ」によって移動局ＵＥから無線基地局ｅＮＢに対して送信される。
【００３１】
管理部１２は、かかるＰｃｅｌｌリスト及びＳｃｅｌｌリストを管理するように構成されている。
【００３２】
制御部１３は、Ｐｃｅｌｌメンバー情報とＳｃｅｌｌメンバー情報とＰｃｅｌｌリストとＳｃｅｌｌリストとに基づいて、かかる移動局ＵＥがセル＃１０に対してＰｃｅｌｌとして接続することができるか否かについて判定すると共に、かかる移動局ＵＥがセル＃１０をＳｃｅｌｌとして設定することができるか否かについて判定するように構成されている。
【００３３】
ここで、制御部１３は、Ｐｃｅｌｌメンバー情報とＳｃｅｌｌメンバー情報とＰｃｅｌｌリストとＳｃｅｌｌリストとに加えて、移動局ＵＥの状態に基づいて、かかる移動局ＵＥがセル＃１０をＳｃｅｌｌとして設定することができるか否かについて判定するように構成されていてもよい。
【００３４】
移動局ＵＥの状態としては、移動局ＵＥに設定（ｃｏｎｆｉｇｕｒｅ）されているＳｃｅｌｌの数や、移動局ＵＥにおけるアクティブ状態のＳｃｅｌｌの数や、移動局ＵＥのカテゴリ等が想定される。
【００３５】
また、移動局ＵＥが、Ｐｃｅｌｌ及びＳｃｅｌｌの両方のメンバーである場合に、制御部１３は、かかる移動局ＵＥをセル＃１０に対してＰｃｅｌｌとして接続させるのか、或いは、かかる移動局ＵＥにＳｃｅｌｌとしてセル＃１０を追加するのかについて決定するように構成されていてもよい。
【００３６】
例えば、制御部１３は、移動局ＵＥがセル＃１０からすぐに出る可能性が高いと判断した場合には、かかる移動局ＵＥをセル＃１０に対してＰｃｅｌｌとして接続させないと決定してもよい。
【００３７】
なお、セル＃１及びセル＃１０が、同一の無線基地局ｅＮＢによって管理されている場合、図２に示す移動管理ノードＭＭＥの機能は、無線基地局ｅＮＢに設けられていてもよい。
【００３８】
図３に示すように、本実施形態に係る移動局ＵＥは、受信部２１と、制御部２２と、送信部２３とを具備している。
【００３９】
受信部２１は、無線基地局ｅＮＢから各種信号を受信するように構成されており、制御部２２は、移動局ＵＥにおける各種制御を行うように構成されており、送信部２３は、無線基地局ｅＮＢに対して各種信号を送信するように構成されている。
【００４０】
例えば、受信部２１は、無線基地局ｅＮＢから、「ＨＯ  ｃｏｍｍａｎｄ」や「ＲＲＣ  ｃｏｎｎｅｃｔｉｏｎ  ｒｅｃｏｎｆｉｇｕｒａｔｉｏｎ」等を受信するように構成されている。
【００４１】
送信部２３は、無線基地局ｅＮＢに対して、「Ｐｒｏｘｉｍｉｔｙ  Ｉｎｄｉｃａｔｉｏｎ」によって、Ｐｃｅｌｌメンバー情報に加えて、Ｓｃｅｌｌメンバー情報を通知するように構成されている。
【００４２】
なお、移動局ＵＥが、Ｐｃｅｌｌ及びＳｃｅｌｌの両方のメンバーである場合に、制御部２２は、セル＃１０に対してＰｃｅｌｌとして接続するのか、或いは、Ｓｃｅｌｌとしてセル＃１０を追加するのかについて決定するように構成されていてもよい。
【００４３】
以下、図４を参照して、本実施形態に係る移動通信システムの動作について説明する。図４の例では、セル＃１及びセル＃１０が、同一の無線基地局ｅＮＢによって管理されているケースについて説明する。
【００４４】
図４に示すように、ステップＳ１００１において、無線基地局ｅＮＢは、セル＃１において「ＲＲＣ_Ｃｏｎｎｅｃｔｅｄ状態」であり且つセル＃１０のカバレッジエリア内に存在する移動局ＵＥに対して、「Ｐｒｏｘｉｍｉｔｙ  Ｃｏｎｆｉｇ」を報告する「Ｒｅｃｏｎｆｉｇｕｒａｔｉｏｎ」を送信する。
【００４５】
ステップＳ１００２において、移動局ＵＥが、無線基地局ｅＮＢに対して、「Ｐｒｏｘｉｍｉｔｙ  Ｉｎｄｉｃａｔｉｏｎ」を含む「Ｍｅａｓｕｒｅｍｅｎｔ  ｒｅｐｏｒｔ」を送信する。
【００４６】
かかる「Ｐｒｏｘｉｍｉｔｙ  Ｉｎｄｉｃａｔｉｏｎ」は、セル＃１０に係るＰｃｅｌｌメンバー情報及びＳｃｅｌｌメンバー情報を含む。
【００４７】
無線基地局ｅＮＢは、Ｐｃｅｌｌメンバー情報とＳｃｅｌｌメンバー情報とＰｃｅｌｌリストとＳｃｅｌｌリストとに基づいて、かかる移動局ＵＥがセル＃１０に対してＰｃｅｌｌとして接続することができるか否かについて判定すると共に、かかる移動局ＵＥがセル＃１０をＳｃｅｌｌとして設定することができるか否かについて判定する。
【００４８】
無線基地局ｅＮＢは、移動局ＵＥをセル＃１０に対してＰｃｅｌｌとして接続させると決定した場合には、ステップＳ１００３において、移動局ＵＥに対して、「ＨＯ  ｃｏｍｍａｎｄ」を送信する。
【００４９】
一方、無線基地局ｅＮＢは、移動局ＵＥに対してセル＃１０をＳｃｅｌｌとして追加すると決定した場合には、ステップＳ１００３において、移動局ＵＥに対して、「ＲＲＣ  ｃｏｎｎｅｃｔｉｏｎ  ｒｅｃｏｎｆｉｇｕｒａｔｉｏｎ」を送信する。
【００５０】
ステップＳ１００４において、移動局ＵＥは、無線基地局ｅＮＢに対して、「ＲＲＣ  ｃｏｎｎｅｃｔｉｏｎ  ｒｅｃｏｎｆｉｇｕｒａｔｉｏｎ  ｃｏｍｐｌｅｔｅ」を送信する。
【００５１】
次に、図５を参照して、本実施形態に係る移動局ＵＥの動作について説明する。
【００５２】
図５に示すように、移動局ＵＥは、ＣＳＧセルであるセル＃１０を発見すると、ステップＳ１０１において、セル＃１０のＰｃｅｌｌリストのメンバーであるか否かについて判定する。
【００５３】
セル＃１０のＰｃｅｌｌリストのメンバーであると判断された場合、本動作は、ステップＳ１０２に進み、セル＃１０のＰｃｅｌｌリストのメンバーでないと判断された場合、本動作は、ステップＳ１０２に進む。
【００５４】
ステップＳ１０２において、移動局ＵＥは、「Ｐｒｏｘｉｍｉｔｙ  Ｉｎｄｉｃａｔｉｏｎ」に、移動局ＵＥがＰｃｅｌｌリストのメンバーであることを示すＰｃｅｌｌメンバー情報を設定する。
【００５５】
ステップＳ１０３において、移動局ＵＥは、セル＃１０のＳｃｅｌｌリストのメンバーであるか否かについて判定する。
【００５６】
セル＃１０のＳｃｅｌｌリストのメンバーであると判断された場合、本動作は、ステップＳ１０４に進み、セル＃１０のＳｃｅｌｌリストのメンバーでないと判断された場合、本動作は、ステップＳ１０５に進む。
【００５７】
ステップＳ１０４において、移動局ＵＥは、「Ｐｒｏｘｉｍｉｔｙ  Ｉｎｄｉｃａｔｉｏｎ」に、移動局ＵＥがＳｅｌｌリストのメンバーであることを示すＳｃｅｌｌメンバー情報を設定する。
【００５８】
ステップＳ１０５において、移動局ＵＥは、「Ｐｒｏｘｉｍｉｔｙ  Ｉｎｄｉｃａｔｉｏｎ」を含む「Ｍｅａｓｕｒｅｍｅｎｔ  ｒｅｐｏｒｔ」を送信する。
【００５９】
本実施形態に係る移動通信システムによれば、移動局ＵＥが、無線基地局ｅＮＢに対して、Ｐｃｅｌｌメンバー情報に加えて、Ｓｃｅｌｌメンバー情報を通知すると共に、無線基地局ｅＮＢ又は移動管理ノードＭＭＥが、かかるＰｃｅｌｌメンバー情報及びＳｃｅｌｌメンバー情報と共に、管理しているＰｃｅｌｌリスト及びＳｃｅｌｌリストを用いて、かかる移動局ＵＥがセル＃１０に対してＰｃｅｌｌとして接続することができるか否かについて判定すると共に、かかる移動局ＵＥがセル＃１０をＳｃｅｌｌとして設定することができるか否かについて判定するように構成されている。
【００６０】
その結果、ＣＳＧ制御において、ＣＳＧメンバーではない移動局ＵＥがＣＳＧセルをＳｃｅｌｌとして用いてしまうという事態を回避することができる。
【００６１】
以上に述べた本実施形態の特徴は、以下のように表現されていてもよい。
【００６２】
本実施形態の第１の特徴は、移動通信システムであって、ネットワークは、ネットワーク配下のセル＃１０に対してＰｃｅｌｌ（主セル）として接続することができる移動局ＵＥのリストであるＰｃｅｌｌリスト（第１リスト）に加えて、かかるセル＃１０をＳｃｅｌｌ（副セル）として設定することができる移動局ＵＥのリストであるＳｃｅｌｌリスト（第２リスト）を管理するように構成されており、セル＃１０内の移動局ＵＥは、かかるネットワークに対して、Ｐｃｅｌｌリストのメンバーであるか否かについて示すＰｃｅｌｌメンバー情報（第１指示情報）に加えて、Ｓｃｅｌｌリストのメンバーであるか否かについて示すＳｃｅｌｌメンバー情報（第２指示情報）を通知するように構成されており、ネットワークは、Ｐｃｅｌｌメンバー情報とＳｃｅｌｌメンバー情報とＰｃｅｌｌリストとＳｃｅｌｌリストとに基づいて、かかる移動局ＵＥがセル＃１０に対してＰｃｅｌｌとして接続することができるか否かについて判定すると共に、かかる移動局ＵＥがセル＃１０をＳｃｅｌｌとして設定することができるか否かについて判定するように構成されていることを要旨とする。
【００６３】
本実施形態の第２の特徴は、無線基地局ｅＮＢであって、無線基地局ｅＮＢ配下のセル＃１０に対してＰｃｅｌｌとして接続することができる移動局ＵＥのリストであるＰｃｅｌｌリストに加えて、セル＃１０をＳｃｅｌｌとして設定することができる移動局ＵＥのリストであるＳｃｅｌｌリストを管理するように構成されている管理部１２と、セル＃１０内の移動局ＵＥから、Ｐｃｅｌｌリストのメンバーであるか否かについて示すＰｃｅｌｌメンバー情報に加えて、Ｓｃｅｌｌリストのメンバーであるか否かについて示すＳｃｅｌｌメンバー情報を取得するように構成されている受信部１１と、Ｐｃｅｌｌメンバー情報とＳｃｅｌｌメンバー情報とＰｃｅｌｌリストとＳｃｅｌｌリストとに基づいて、移動局ＵＥがセル＃１０に対してＰｃｅｌｌとして接続することができるか否かについて判定すると共に、移動局ＵＥがセル＃１０をＳｃｅｌｌとして設定することができるか否かについて判定するように構成されている制御部１３とを具備することを要旨とする。
【００６４】
本実施形態の第３の特徴は、移動管理ノードＭＭＥであって、移動管理ノードＭＭＥ配下のセル＃１０に対してＰｃｅｌｌとして接続することができる移動局ＵＥのリストであるＰｃｅｌｌリストに加えて、セル＃１０をＳｃｅｌｌとして設定することができる移動局ＵＥのリストであるＳｃｅｌｌリストを管理するように構成されている管理部１２と、セル＃１０内の移動局ＵＥから、Ｐｃｅｌｌリストのメンバーであるか否かについて示すＰｃｅｌｌメンバー情報に加えて、Ｓｃｅｌｌリストのメンバーであるか否かについて示すＳｃｅｌｌメンバー情報を取得するように構成されている受信部１１と、Ｐｃｅｌｌメンバー情報とＳｃｅｌｌメンバー情報とＰｃｅｌｌリストとＳｃｅｌｌリストとに基づいて、移動局ＵＥがセル＃１０に対してＰｃｅｌｌとして接続することができるか否かについて判定すると共に、移動局ＵＥがセル＃１０をＳｃｅｌｌとして設定することができるか否かについて判定するように構成されている制御部１３とを具備することを要旨とする。
【００６５】
本実施形態の第４の特徴は、移動局ＵＥであって、ネットワークに対して、移動局ＵＥがＰｃｅｌｌリストのメンバーであるか否かについて示すＰｃｅｌｌメンバー情報に加えて、移動局ＵＥがＳｃｅｌｌリストのメンバーであるか否かについて示すＳｃｅｌｌメンバー情報を通知するように構成されている送信部２３を具備していることを要旨とする。
【００６６】
ここで、上述のように、移動局ＵＥは、Ｐｃｅｌｌリストのメンバーであるか否かについて示すＰｃｅｌｌメンバー情報に加えて、移動局ＵＥがＳｃｅｌｌリストのメンバーであるか否かについて示すＳｃｅｌｌメンバー情報を送信するように構成されている場合、Ｐｃｅｌｌメンバー情報及びＳｃｅｌｌメンバー情報を異なるメッセージで通知するように構成されていていてもよい。
【００６７】
さらに、移動局ＵＥは、Ｐｃｅｌｌメンバー情報及びＳｃｅｌｌメンバー情報のいずれか１つを通知するように構成されていてもよい。
【００６８】
かかる場合、Ｐｃｅｌｌメンバー情報及びＳｃｅｌｌメンバー情報のどちらの情報を通知するかについては、無線基地局ｅＮＢから指示されてもよい。かかる通知は、ＲＲＣレイヤやＰＤＣＰレイヤやＲＬＣレイヤやＭＡＣレイヤや物理レイヤ等の任意のレイヤで行われてもよい。
【００６９】
なお、上述の移動局ＵＥや無線基地局ｅＮＢ＃Ａの動作は、ハードウェアによって実施されてもよいし、プロセッサによって実行されるソフトウェアモジュールによって実施されてもよいし、両者の組み合わせによって実施されてもよい。
【００７０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ＃Ａ内に設けられていてもよい。また、かかる記憶媒体及びプロセッサは、ディスクリートコンポーネントとして移動局ＵＥや無線基地局ｅＮＢ＃Ａ内に設けられていてもよい。
【００７２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７３】
ｅＮＢ＃Ａ…無線基地局
ＵＥ…移動局
１１…管理部
１２、２１…受信部
１３…判定部
１４、２２…送信部
【図１】
2014072692.tif 000003
【図２】
2014072692.tif 000004
【図３】
2014072692.tif 000005
【図４】
2014072692.tif 000006
【図５】
2014072692.tif 000007
【図６】
2014072692.tif 000008
【図７】
2014072692.tif 000009
【図８】
2014072692.tif 000010